(57)【特許請求の範囲】
【請求項１】
手摺を壁面に支持してなる手摺用ブラケットであって、
上記壁面に固定ねじによって固定される板状の固定部と、
上記固定部に取付ねじによって取り付けられる取付部と、この取付部の下部から斜め上方に延びて先端部で上記手摺を下方から支持するアーム部とを有するブラケット本体と、を備え、
上記固定部は、上記固定ねじが挿通する貫通孔が穿設され、かつ、上記取付ねじが螺合するねじ孔が形成され、
上記固定部と上記取付部には、互いに嵌合及び係合可能な位置決め部が設けられ、
上記取付部は、上記アーム部と略同じ幅に形成されると共に、係止突部を有する取付部本体と、上記取付部本体の中央部の両側方に延在する一対の取付片とを具備し、上記両取付片に上記取付ねじが挿通する挿通孔が穿設され、
上記取付片は、上記取付部本体における上記アーム部の基端部の上部を含む両側方に延在され、上記挿通孔は、上記アーム部の基端部の上部より上方の部位に穿設され、
上記位置決め部は、上記固定部の上部に形成される位置決め用の係止孔と、上記取付部の上部裏面に突設されて上記係止孔に嵌合可能な位置決め用の係止突部とを具備する、
ことを特徴とする手摺用ブラケット。
【請求項２】
請求項１に記載の手摺用ブラケットにおいて、
上記固定部は、上記固定ねじが挿通する貫通孔が、上記固定ねじの操作工具が上記アーム部との干渉を回避すべく固定部の表面に形成された傾斜面部に対して略垂直状に穿設され、かつ、上記取付ねじが螺合するねじ孔が形成され、
上記傾斜面部は、上記固定部の上部両側及び少なくとも下部の一側に設けられ、手摺の長手方向に関して、上記固定部の外側端に向かって板厚が薄くなるように傾斜してなる、ことを特徴とする手摺用ブラケット。
【請求項３】
請求項１に記載の手摺用ブラケットにおいて、
上記位置決め部は、上記取付部の下端部に設けられて上記固定部の下端面に係合可能な位置決め片を更に具備してなる、ことを特徴とする手摺用ブラケット。
【請求項４】
請求項１ないし３のいずれかに記載の手摺用ブラケットにおいて、
上記固定部と上記取付部とを覆う合成樹脂製のカバー材を更に備え、
上記カバー材は、上記アーム部を跨いで上記アーム部の基端側の頂部及び両側部に弾接する下向きの開口部と、上記固定部の下部両側端に設けられた係止凹部に係合可能な複数の係合突部とが形成され、各上記係合突部は、複数の凸条を列設してなる、ことを特徴とする手摺用ブラケット。
【請求項５】
請求項４に記載の手摺用ブラケットにおいて、
上記カバー材は、上記開口部を有する上部側カバー部と、この上部側カバー部の下端に延在して上記固定部の外側端を覆う下部側カバー部とからなり、上記下部側カバー部は薄肉に形成され、上記上部側カバー部は上記下部側カバー部に対して肉厚に形成されており、上記複数の凸条は、下部側カバー部に形成されている、ことを特徴とする手摺用ブラケット。
【発明の詳細な説明】
【技術分野】
【０００１】
この発明は手摺用ブラケットに関するもので、更に詳細には、壁面に固定される固定部と、この固定部に着脱可能に取り付けられるブラケット本体とを備える手摺用ブラケットに関するものである。
【背景技術】
【０００２】
従来、手摺用ブラケットを着脱可能として、模様替えの際の壁紙貼り替えや、引っ越し等の際に、通路を広く取れるようしている。
【０００３】
そのため、従来の手摺用ブラケットは、脆弱な石膏ボードからなる壁面にねじ止めするため、壁面とのねじ着脱を繰り返さないように壁面に固定されるベース部材を壁面に残し、ベース部材上にブラケット本体を着脱するような構成をとっている。また、この種の手摺用ブラケットにおいては、ベース部材の壁面固定用ねじや、ベース部材とブラケット本体の固定ねじを外部から被覆するためのカバー材を設けるのが外観上好ましい。
【０００４】
上記構成をとる手摺用ブラケットとして、壁面に固定されるベースに、先細り状のベース側嵌合部と、ベース固定ねじ受け座及びブラケット本体固定ねじ孔を設け、ブラケット本体に、上記ベース側嵌合部と嵌合するブラケット側嵌合部と、ブラケット固定ねじ受け座及びベース固定ねじ挿通孔を設けて、上記ベース側嵌合部とブラケット側嵌合部とを嵌合した状態で、ブラケット本体固定ねじによりブラケット本体とベースを一体に組み付けて、ベース固定ねじによって壁面に固定する構造のものが知られている（例えば、特許文献１参照）。
特許文献１に記載のものにおいては、ブラケット本体の下部側に露呈するベース固定ねじとブラケット本体固定ねじを外部から被覆するために、ブラケット本体の下部側にカバーを被着している。
【０００５】
また、別の手摺用ブラケットとして、壁面に固定されるベース部材の頂部に、位置決め用Ｖ字状溝を設け、ブラケット本体の取付座の上部に突設される載置突部の下面に、上記位置決め用Ｖ字状溝と嵌合可能なＶ字状突起を形成し、上記取付座の表面に膨隆する手摺取付用アームの連結部の側面に、上記固定ねじの挿入案内用凹溝を形成する構造のものが知られている（例えば、特許文献２参照）。
特許文献２に記載のものにおいては、ブラケット本体の下部側に露呈するベース部材用固定ねじとブラケット本体をベース部材に固定する固定ねじを外部から被覆するために、ブラケット本体の下部側にカバーを被着している。
【０００６】
更に、別の手摺用ブラケットとして、壁面に固定される固定部の固定プレートに突設形成される受け部に、ブラケット本体に設けられた取付部を被せ、取付部の対向する側面に形成された孔に挿入されるビスを受け部の側壁部に形成されたねじ孔に横方向からねじ込んで固定部とブラケット本体を固定する構造のものが知られている（例えば、特許文献３参照）。
また、上記受け部または上記固定プレートに、取付部から斜め上方に延びるアーム部の傾斜部の上端部を引掛ける引掛け部が形成されている。また、特許文献３に記載のものにおいては、上記固定部と取付部を覆う側面視略台形状のカバーの頂面にアーム部を通す開口部が設けられ、開口部の対向する縁部には、底面側に向けて延在する爪部が形成されており、上記爪部はアーム部と取付部との間に設けられた段差部に係合するようになっている。
【先行技術文献】
【特許文献】
【０００７】
【特許文献１】特開２００３−３１４０２０号公報（特許請求の範囲、図１，図２）
【特許文献２】特許第４８８９４０９号公報（特許請求の範囲、図２，図４，図６）
【特許文献３】特開２０１２−２２９５４８号公報（特許請求の範囲、図１，図２）
【発明の開示】
【発明が解決しようとする課題】
【０００８】
しかしながら、従来のこの種の手摺用ブラケットにおいては、壁面に固定されるベース，ベース部材，固定プレート等の固定部に対するブラケット本体の取付が一箇所の嵌合であるため、固定部にブラケット本体を固定する際、固定部に対するブラケット本体の位置決めが面倒な上、固定部とブラケット本体の取付状態が不安定となり、固定ねじによる固定が面倒である懸念があった。
【０００９】
また、この種の手摺用ブラケットにおいては、固定部は、脆弱な石膏ボードからなる壁面にねじ止めによって固定される関係上、手摺にかかる力を分散させるために、ある程度の面積が必要であるが、外観上、アーム部から側方へ張り出す部分の面積はなるべく小さい方が好ましい。しかし、固定部の固定ねじは、比較的寸法の長いねじが使用され、電動ドライバーのような操作工具を用いて壁面にねじ止めされるため、操作工具がアーム部に干渉しない範囲で固定部の面積を設定する必要がある。
【００１０】
また、カバー材を取り付ける場合は、固定部及びブラケット本体への取り付け、取り外しが容易かつ確実であって、取付状態において振動や衝撃等によって不用意に脱落しないようにする必要がある。
【００１１】
この発明は、上記事情に鑑みてなされたもので、手摺用ブラケットを構成する着脱可能な固定部とブラケット本体の取付（固定）を容易かつ確実（強固）にすると共に、壁面への施工を容易にする手摺用ブラケットを提供することを課題とするものである。
【課題を解決するための手段】
【００１２】
上記課題を解決するために、この発明の手摺用ブラケットは、手摺を壁面に支持してなる手摺用ブラケットであって、  上記壁面に固定ねじによって固定される板状の固定部と、上記固定部に取付ねじによって取り付けられる取付部と、この取付部の下部から斜め上方に延びて先端部で上記手摺を下方から支持するアーム部とを有するブラケット本体と、を備え、  上記固定部は、上記固定ねじが挿通する貫通孔が穿設され、かつ、上記取付ねじが螺合するねじ孔が形成され、  上記固定部と上記取付部には、互いに嵌合及び係合可能な位置決め部が設けられ、  上記取付部は、上記アーム部と略同じ幅に形成されると共に、係止突部を有する取付部本体と、上記取付部本体の中央部の両側方に延在する一対の取付片とを具備し、上記両取付片に上記取付ねじが挿通する挿通孔が穿設され、  上記取付片は、上記取付部本体における上記アーム部の基端部の上部を含む両側方に延在され、上記挿通孔は、上記アーム部の基端部の上部より上方の部位に穿設され、  上記位置決め部は、上記固定部の上部に形成される位置決め用の係止孔と、上記取付部の上部裏面に突設されて上記係止孔に嵌合可能な位置決め用の係止突部とを具備する、ことを特徴とする（請求項１）。
【００１３】
このように構成することにより、固定部とブラケット本体の取付部に設けられた互いに嵌合及び係合可能な位置決め部によって、固定部に対してブラケット本体を位置決めした状態で、取付ねじによって固定部とブラケット本体とを固定することができる。また、固定部とブラケット本体とを固定した状態で、固定部の表面に形成された傾斜面部に対して略垂直状に穿設され貫通孔を挿通する固定ねじを操作工具によって壁面にねじ込むことによって固定部を壁面に固定することができる。この際、操作工具はブラケット本体に設けられたアーム部に干渉することなく固定ねじを壁面にねじ込むことができる。
【００１４】
この発明において、上記固定部は、上記固定ねじが挿通する貫通孔が、上記固定ねじの操作工具が上記アーム部との干渉を回避すべく固定部の表面に形成された傾斜面部に対して略垂直状に穿設され、かつ、上記取付ねじが螺合するねじ孔が形成され、上記傾斜面部は、上記固定部の上部両側及び少なくとも下部の一側に設けられ、手摺の長手方向に関して、上記固定部の外側端に向かって板厚が薄くなるように傾斜してなるのが好ましい（請求項２）。
【００１５】
また、このように構成することにより、固定部の上部両側及び少なくとも下部の一側に設けられた傾斜面部に穿設された貫通孔を挿通する固定ねじによって固定部の上部２箇所と少なくとも下部の１箇所を固定することができる。また、取付部の中央部の両側に延在する一対の取付片に穿設された挿通孔を挿通する２本の取付ねじを固定部に設けられたねじ孔に螺合して固定部とブラケット本体とを取付(固定)することができ、取付ねじとねじ孔の螺合を解除して、固定部からブラケット本体を取り外すことができる。この場合、取付片を、取付部本体におけるアーム部の基端部の上部を含む両側方に延在し、挿通孔を、アーム部の基端部の上部より上方の部位に穿設することにより、アーム部が邪魔にならずに取付ねじによって固定部とブラケット本体の取付・取り外しを行うことができる。
【００１６】
また、この発明において、上記位置決め部は、上記取付部の下端部に設けられて上記固定部の下端面に係合可能な位置決め片を更に具備しているのが好ましい（請求項３）。
【００１７】
このように構成することにより、ブラケット本体の取付部に突設された係止突部を、固定部の上部に設けられた係止孔に嵌合し、取付部に設けられた位置決め片を、固定部の下端面に係合させて、固定部に対してブラケット本体を位置決めすることができるので、固定部に対してブラケット本体を容易かつ確実に位置決めすることができる。
【００１８】
また、この発明において、上記固定部と上記取付部とを覆う合成樹脂製のカバー材を更に備え、上記カバー材は、上記アーム部を跨いで上記アーム部の基端側の頂部及び両側部に弾接する下向きの開口部と、上記固定部の下部両側端に設けられた係止凹部に係合可能な複数の係合突部とが形成され、各上記係合突部は、複数の凸条を列設してなるのが好ましい（請求項４）。
【００１９】
このように構成することにより、カバー材を、取付部の下部から斜め上方に延びるアーム部の基端側の頂部及び両側部に弾接し、カバー材に設けられた複数の凸条を列設してなる係合突部を、固定部の下部両側端に設けられた係止凹部に係合して、固定部と取付部とを覆うことができる。また、係止突部を複数の凸条を列設した構造とすることにより、合成樹脂製の材料で射出成形によって形成されるカバー材の表面に表れる歪みを抑制することができる。
【００２０】
また、この発明において、上記カバー材は、上記開口部を有する上部側カバー部と、この上部側カバー部の下端に延在して上記固定部の外側端を覆う下部側カバー部とからなり、上記下部側カバー部は薄肉に形成され、上記上部側カバー部は上記下部側カバー部に対して肉厚に形成されており、上記複数の凸条は、下部側カバー部に形成されているのが好ましい（請求項５）。
【００２１】
このように構成することにより、開口部を有する上部側カバー部を、上部側カバー部の下端に延在して固定部の外側端を覆う薄肉に形成された下部側カバー部に対して肉厚に形成することで、開口部の弾性効果を高めることができ、カバー材の被着を強固にすることができる。
【発明の効果】
【００２２】
この発明の手摺用ブラケットは、上記のように構成されているので、以下のような効果が得られる。
【００２３】
（１）請求項１に記載の発明によれば、固定部に対してブラケット本体を位置決めした状態で、取付ねじによって固定部とブラケット本体とを固定することができる。したがって、手摺用ブラケットを構成する着脱可能な固定部とブラケット本体の取付（固定）を容易かつ確実（強固）にすると共に、壁面への施工を容易にすることができる。この場合、取付片を、取付部本体におけるアーム部の基端部の上部を含む両側方に延在し、挿通孔を、アーム部の基端部の上部より上方の部位に穿設することにより、アーム部が邪魔にならずに取付ねじによって固定部とブラケット本体の取付・取り外しを行うことができる。
また、請求項２に記載の発明によれば、固定部の表面に形成された傾斜面部に対して略垂直状に穿設され貫通孔を挿通する固定ねじをアーム部に干渉することなく操作工具によって壁面にねじ込むことによって固定部を壁面に固定することができる。
【００２４】
（２）請求項３に記載の発明によれば、固定部に対してブラケット本体を容易かつ確実に位置決めすることができるので、上記（１）に加えて、更に固定部とブラケット本体の取付（固定）を容易かつ確実（強固）にすると共に、壁面への施工を容易にすることができる。
【００２５】
（３）請求項４，５に記載の発明によれば、上記（１），（２）に加えて、更にカバー材の固定部及びブラケット本体への取り付け、取り外しを容易かつ確実にすることができ、取付状態においてカバー材が振動や衝撃等によって不用意に脱落するのを防止することができる。
【図面の簡単な説明】
【００２６】
【図１】この発明に係る手摺用ブラケットの第１実施形態の使用状態を示す正面図である。
【図２】一部を断面で示す側面図である。
【図３】図１のI−I線に沿う一部断面図である。
【図４】この発明における固定部の固定状態を示す断面図である。
【図５】使用状態の一部を断面で示す斜視図である。
【図６】この発明におけるブラケット本体を壁面に取り付ける状態を示す斜視図である。
【図７】固定部からブラケット本体を取り外した状態を示す斜視図である。
【図８】この発明における固定部、ブラケット本体、カバー材を示す正面分解斜視図である。
【図９】この発明における固定部、ブラケット本体、カバー材を示す背面分解斜視図である。
【図１０】この発明に係る手摺用ブラケットの第２実施形態の使用状態を示す斜視図である。
【図１１】この発明に係る手摺用ブラケットの第２実施形態の使用状態の一部を断面で示す斜視図である。
【図１２】この発明に係る手摺用ブラケットの第２実施形態の一部を断面で示す斜視図である。
【発明を実施するための最良の形態】
【００２７】
以下に、この発明の最良の実施形態を添付図面に基づいて詳細に説明する。ここでは、この発明に係る手摺用ブラケットを適用して、石膏ボード１ｂに裏面に木製下地材１ｃを接合してなる壁部１の壁面１ａに手摺２を取り付ける場合について説明する。
【００２８】
この発明に係る手摺用ブラケットは、壁部１の壁面１ａに固定ねじ７によって固定される固定部１０と、固定部１０に取付ねじ８によって取り付けられる取付部２１と、取付部２１の下部から斜め上方に延びて先端部で手摺２を下方から支持するアーム部２２とを有するブラケット本体２０と、固定部１０及びブラケット本体２０に対して装着され、固定部１０とブラケット本体２０の固定部を外部から被覆するカバー材３０とで主に構成されている。
【００２９】
固定部１０は、四角形の金属製板材にて形成されており、図２ないし図９に示すように、上部の中央部に、後述する位置決め部を構成する位置決め用の係止孔１１が形成され、上部両側及び下部両側に固定ねじ７が挿通する貫通孔１２が設けられ、中央部の左右両側に、取付ねじ８が螺合するねじ孔１４が形成されている。また、固定部１０の下部両側端には、後述するカバー材３０に設けられた係合突部３２が係合可能な係止凹部１５が設けられている。
【００３０】
上記貫通孔１２は、固定ねじ７の操作工具（例えば、電動ドライバー）がアーム部２２との干渉を回避すべく固定部１０の表面に形成された傾斜面部１３に対して略垂直状に穿設されている。この場合、傾斜面部１３は、固定部１０の上部両側及び下部両側の角部に設けられ、手摺２の長手方向に関して、固定部１０の外側端に向かって板厚が薄くなるように傾斜されている。このように形成される傾斜面部１３に対して貫通孔１２が略垂直状に穿設されている。
【００３１】
これにより、貫通孔１２を挿通する固定ねじ７を操作工具によって壁面１ａにねじ込む際、操作工具はブラケット本体２０に設けられたアーム部２２に干渉することなく容易に固定ねじ７を壁面１ａにねじ込むことができる。
【００３２】
このようにして、固定部１０の上部両側の貫通孔１２と下部両側の一方の貫通孔１２を貫通する固定ねじ７によって固定部１０を壁面１ａに固定することができる。壁面１ａにねじ込まれる固定ねじ７は、図４に示すように、外方から壁面１ａの垂直面に近接する斜め内方にねじ込まれるので、固定部１０を強固に固定することができる。
【００３３】
なお、本実施形態では、傾斜面部１３は、固定部１０の上部両側及び下部両側の角部の４箇所に設けられているが、固定ねじ７は、固定部１０の上部両側の貫通孔１２と下部の一方側の貫通孔１２を貫通して壁面１ａにねじ込めばよいので、傾斜面部１３と貫通孔１２は、固定部１０の上部両側と少なくとも下部の一側に設けられていればよい。
【００３４】
ブラケット本体２０は、例えば、アルミニウム合金製ダイカストにて形成されている。ブラケット本体２０は、取付部２１の下部から斜め上方に延びるアーム部２２と略同じ幅に形成されると共に、上部裏面側に係止突部２３を突設し、下端部に、固定部１０の下端面に係合可能な位置決め片２４を有する取付部本体２５と、取付部本体２５の中央部の両側方に延在する一対の取付片２６とを具備し、両取付片２６に取付ねじ８が挿通する挿通孔２７が穿設されている。
【００３５】
なお、上記固定部１０の上部に形成される位置決め用の係止孔１１と、取付部２１の上部裏面側に突設されて係止孔１１に嵌合可能な係止突部２３と、固定部１０の下端面に係合可能な位置決め片２４とで位置決め部が構成されている。また、取付部本体２５と一対の取付片２６とを有する取付部２１は、固定部１０の上下４箇所に設けられた貫通孔１２を回避するように略十字状に形成されて、材料の削減が図られている。
【００３６】
この場合、取付片２６は、取付部本体２５におけるアーム部２２の基端部２２ａの上部を含む両側方に延在され、挿通孔２７は、アーム部２２の基端部２２ａの上部（頂部２２ｂ）より上方の部位に穿設されている。
【００３７】
このように、取付片２６を、取付部本体２５におけるアーム部２２の基端部２２ａの上部（頂部２２ｂ）を含む両側方に延在させ、アーム部２２の基端部２２ａの上部より上方の部位に挿通孔２７を穿設することにより、アーム部２２が邪魔にならずに取付ねじ８によって固定部１０とブラケット本体２０の取付・取り外しを行うことができる。
【００３８】
なお、取付部本体２５における取付片２６の下部両側には、凹部２８が設けられている（図９参照）。このように、取付部本体２５における取付片２６の下部両側に凹部２８を設けることにより、固定部１０の下部に設けられた貫通孔１２に挿通されて壁面１ａに固定される固定ねじ７の頭部の一部を凹部２８内に収容することができる。これにより、固定部１０の横幅を狭くすることができるので、材料の削減が図れる。
【００３９】
また、図５，図８及び図９に示すように、アーム部２２の先端部には、この先端部から両側に向かって取付部２１に対して平行に延びる手摺支持部２９が設けられている。手摺支持部２９の長手方向の両端側には２個の手摺固定ねじ孔６が設けられており、手摺固定ねじ孔６にねじ込まれる手摺固定ねじ９によって手摺２が支持されるようになっている。この場合、手摺支持部２９はアーム部２２の先端部から両側に向かって延びているので、手摺２のジョイント部にも使用することができる。すなわち、手摺支持部２９に隣接する手摺２を支持・固定して、２本の手摺２を接続することができる。
【００４０】
手摺２は、図２，図３，図５〜図９に示すように、例えばアルミニウム合金製押出形材にて形成される下方が開口した断面略中空矩形状の手摺基材３と、この手摺基材３の外周を被覆する合成樹脂製の被覆部材４とで構成されている。この手摺２とブラケット本体２０とを固定するには、ブラケット本体２０の手摺支持部２９を手摺基材３の端部に挿入し、手摺固定ねじ９を手摺支持部２９に設けられた手摺固定ねじ孔６に螺合し、手摺固定ねじ９の先端部を手摺基材３の下面に押圧して固定した後、手摺基材３に被覆部材４を被着する。
【００４１】
カバー材３０は、合成樹脂（例えば、ＡＢＳ樹脂）製部材にて形成されている。カバー材３０は、図８及び図９に示すように、アーム部２２を跨いでアーム部２２の基端側の頂部２２ｂ及び両側部２２ｃに弾接する下向きの開口部３１と、固定部１０の下部両側端に設けられた係止凹部１５に係合可能な複数の凸条３２ａを列設してなる係合突部３２とが形成されている。
【００４２】
また、カバー材３０は、上記開口部３１を有する上部側カバー部３３と、この上部側カバー部３３の下端に延在して固定部１０の外側端を覆う、係合突部３２を有する下部側カバー部３４とからなり、下部側カバー部３４は薄肉に形成され、上部側カバー部３３は下部側カバー部３４に対して肉厚に形成されている。なお、カバー材３０の下部側カバー部３４における係合突部３２が設けられた辺部と直交する辺部には、固定部１０の辺部に係合する２つの係止爪部３５が設けられている（図９参照）。
【００４３】
上記のように係合突部３２を下部側カバー部３４に設けると共に、複数の凸条３２ａを列設した構造とすることにより、合成樹脂製の材料で射出成形によって形成されるカバー材３０の表面に表れる歪みを抑制することができる。したがって、カバー材３０の表面を例えばメタリック調に着色するようにした場合においても、カバー材３０の表面に着色むらが生じることがなく、外観の美観を高めることができる。
【００４４】
また、開口部３１を有する上部側カバー部３３を、薄肉に形成された下部側カバー部３４に対して肉厚に形成することにより、開口部３１の弾性効果を高めることができ、カバー材の被着を強固にすることができる。また、下部側カバー部３４を薄肉に形成することにより、全体の肉厚を同一にするものに比べてカバー材３０の材料の削減が図れる。
【００４５】
図１０〜図１２は、この発明に係る手摺用ブラケットの第２実施形態を示す斜視図である。第２実施形態の手摺用ブラケットは、ブラケット本体２０Ａのアーム部２２の先端にアーム部２２と同じ幅の手摺支持部２９Ａが設けられ、手摺支持部２９Ａの頂面２９ａに手摺固定ねじ孔６を設けた点で上記第１実施形態と相違している。
【００４６】
第２実施形態において、手摺用ブラケットに手摺２を取り付けるには、ブラケット本体２０Ａの手摺支持部２９Ａを手摺基材３の下方より挿入し、手摺基材３を貫通する手摺固定ねじ９を手摺支持部２９Ａに設けられた手摺固定ねじ孔６に螺合して固定した後、手摺基材３に被覆部材４を被着すればよい。
【００４７】
なお、第２実施形態において、その他の部分は第１実施形態と同じであるので、同一部分には同一符号を付して、説明は省略する。
【００４８】
第２実施形態の手摺用ブラケットによれば、ブラケット本体２０Ａの手摺支持部２９Ａがアーム部２２と同じ幅に形成されているので、手摺支持部２９Ａに手摺２の長手方向の端部を手摺用ブラケットから突出させずに支持・固定することができる。したがって、廊下や階段のコーナー部（特に、入隅部）において、固定部１０とブラケット本体２０Ａの取付（固定）を容易かつ強固にすることができると共に、ブラケット本体２０Ａを固定部１０から容易に取り外すことができる。
【００４９】
上記のように構成される手摺用ブラケットを壁面１ａに取り付けるには、まず、固定部１０に形成された係止孔１１と、取付部２１に設けられた係止突部２３と、位置決め片２４とからなる位置決め部によって取付部２１と固定部１０を位置決めする。すなわち、ブラケット本体２０，２０Ａの取付部２１に突設された係止突部２３を固定部１０に設けられた係止孔１１に嵌合すると共に、取付部２１の下端部に設けられた位置決め片２４を固定部１０の下端面に係合して、取付部２１と固定部１０を位置決めする。この状態で、図６に示すように、取付ねじ８によってブラケット本体２０の取付部２１を固定部１０に取り付ける。
【００５０】
次に、固定部１０が取り付けられたブラケット本体２０，２０Ａの手摺支持部２９，２９Ａを手摺基材３の端部に挿入し、手摺２の長手方向に移動させて所定の位置で、手摺基材３を貫通する手摺固定ねじ９を手摺支持部２９に設けられた手摺固定ねじ孔６に螺合して固定した後、手摺基材３に被覆部材４を被着して手摺２の取付作業が完了する。
【００５１】
このようにして、手摺２を取り付けた状態で、固定部１０の上部両側と下部の一側に形成された傾斜面部１３に設けられた貫通孔１２を貫通する固定ねじ７を、操作工具（例えば電動ドライバー）によって壁面１ａにねじ込んで、固定部１０を壁面１ａに固定する。壁面１ａにねじ込まれる固定ねじ７は、図４に示すように、外方から壁面１ａの垂直面に近接する斜め内方にねじ込まれるので、固定部１０を強固に固定することができる。
【００５２】
手摺用ブラケットを介して手摺２を取り付けた後、カバー材３０の開口部３１を、取付部２１の下部から斜め上方に延びるアーム部２２の基端側の頂部２２ｂ及び両側部２２ｃに弾接し、カバー材３０に設けられた複数の凸条３２ａを列設してなる係合突部３２を、固定部１０の下部両側端に設けられた係止凹部１５に係合して、カバー材３０を固定部１０と取付部２１に被着する。
【００５３】
壁面１ａから手摺２を取り外す場合は、まず、ブラケット本体２０，２０Ａの取付部２１と固定部１０に被着されているカバー材３０を取り外す。この状態で、取付ねじ８を緩めて、固定部１０から手摺２を支持しているブラケット本体２０，２０Ａを取り外せばよい。
【００５４】
上記のように構成される実施形態の手摺用ブラケットによれば、ブラケット本体２０，２０Ａの取付部２１の上部裏面側に突設された係止突部２３を、固定部１０の上部に設けられた係止孔１１に嵌合し、取付部２１の下端部に設けられた位置決め片２４を、固定部１０の下端面に係合させるので、ブラケット本体２０，２０Ａと固定部１０の位置決めを容易かつ確実にすることができる。また、固定部１０に対してブラケット本体２０，２０Ａを取り付けた状態で、取付ねじ８によって固定部１０とブラケット本体２０とを固定することで、ブラケット本体２０，２０Ａと固定部１０との取付（固定）を容易にすることができる。
【００５５】
また、固定部１０とブラケット本体２０，２０Ａとを固定した状態で、固定部１０の表面に形成された傾斜面部１３に対して略垂直状に穿設され貫通孔１２を挿通する固定ねじ７を操作工具（例えば、電動ドライバー）によって壁面１ａにねじ込むことによって固定部１０を壁面１ａに固定する際、操作工具はブラケット本体２０，２０Ａに設けられたアーム部２２に干渉することなく固定ねじ７を壁面１ａにねじ込むことができる。
【００５６】
また、固定部１０の上部両側及び少なくとも下部の一側に設けられた傾斜面部１３に対して略垂直状に穿設された貫通孔１２を挿通する固定ねじ７によって固定部１０の上部２箇所と少なくとも下部の１箇所を固定することにより、壁面１ａへの固定を強固にすることができる。
【００５７】
また、取付部２１の中央部の両側に延在する一対の取付片２６におけるアーム部２２の基端部２２ａの上部(頂部２２ｂ)より上方の部位に穿設された挿通孔２７を挿通する２本の取付ねじ８を固定部１０に設けられたねじ孔１４に螺合して固定部１０とブラケット本体２０，２０Ａとを取付(固定)することができ、取付ねじ８とねじ孔１４の螺合を解除して、固定部１０からブラケット本体２０，２０Ａを取り外すことができる。したがって、ブラケット本体２０，２０Ａと固定部１０との取付（固定）及び取り外しを、アーム部２２が邪魔になることなく容易に行うことができる。
【００５８】
また、カバー材３０を、取付部２１の下部から斜め上方に延びるアーム部２２の基端側の頂部２２ｂ及び両側部２２ｃに弾接する開口部３１を有する上部側カバー部３３と、上部側カバー部３３の下端に延在し、固定部１０の下部両側端に設けられた係止凹部１５に係合可能な複数の凸条３２ａを列設してなる係合突部３２を有する下部側カバー部３４とで形成し、上部側カバー部３３を、薄肉に形成された下部側カバー部３４に対して肉厚に形成することで、開口部３１の弾性効果を高めることができ、カバー材３０の被着を強固にすることができ、例えば、振動や衝撃等によって不用意にカバー材３０が脱落するのを防止することができる。また、係合突部３２を複数の凸条３２ａを列設した構造とすることにより、合成樹脂製の材料で射出成形によって形成されるカバー材３０の表面に表れる歪みを抑制することができるので、カバー材３０の美観を高めることができる。
【００５９】
上記実施形態では、この発明に係る手摺用ブラケットを、石膏ボード１ｂに裏面に木製下地材１ｃを接合してなる脆弱の壁部１の壁面１ａに手摺２を取り付ける場合に適用したが、この発明に係る手摺用ブラケットは、強度を有する壁部の壁面においても同様に適用できる。
【符号の説明】
【００６０】
１ａ  壁面
２  手摺
７  固定ねじ
８  取付ねじ
１０  固定部
１１  係止孔
１２  貫通孔
１３  傾斜面部
１４  ねじ孔
１５  係止凹部
２０，２０Ａ  ブラケット本体
２１  取付部
２２  アーム部
２２ａ  基端部
２２ｂ  頂部
２２ｃ  側部
２３  係止突部
２４  位置決め片
２５  取付部本体
２６  取付片
２７  挿通孔
３０  カバー材
３１  開口部
３２  係合突部
３２ａ  凸条
３３  上部側カバー部
３４  下部側カバー部
【図１】
0006508980.tif 000002
【図２】
0006508980.tif 000003
【図３】
0006508980.tif 000004
【図４】
0006508980.tif 000005
【図５】
0006508980.tif 000006
【図６】
0006508980.tif 000007
【図７】
0006508980.tif 000008
【図８】
0006508980.tif 000009
【図９】
0006508980.tif 000010
【図１０】
0006508980.tif 000011
【図１１】
0006508980.tif 000012
【図１２】
0006508980.tif 000013